(57)【要約】【課題】ＯＣＲ技術を用いることなく、文書から得られる画像データにテキストデータを関連付けて記憶することができる画像編集装置の提供。【解決手段】ファイルの出力先がペンソフトに指定された場合（Ｓ１２）、プリンタドライバの機能を用いて元のデータを画像データに変換すると共に（Ｓ１５）、元のデータからテキストデータを抽出する（Ｓ１６）。次いで、ペンソフトを起動し（Ｓ１８）、変換後の画像データ及びテキストデータから生成されるタグ情報を取り込み（Ｓ１９）、画像編集操作を受付ける（Ｓ２１）。ファイルの保存指示を受付けた場合（Ｓ２２）、タグ情報を埋め込んだ専用ファイル形式のファイルを保存する（Ｓ２５）。【選択図】図７
2014170317.tif 000002
【特許請求の範囲】
【請求項１】
画像データに基づく画像を表示手段に表示し、該表示手段に表示した画像に対する編集を受付ける画像編集装置において、
テキストデータを受付ける受付手段と、
受付けたテキストデータの一部又は全部を抽出する抽出手段と、
受付けたテキストデータに基づいて、前記表示手段に表示させるべき画像に係る画像データを生成する画像生成手段と、
生成した画像データを、前記抽出手段が抽出したテキストデータに関連付けて記憶する記憶手段と
を備えることを特徴とする画像編集装置。
【請求項２】
画像データに基づく画像を表示手段に表示し、該表示手段に表示した画像に対する編集を受付ける画像編集装置において、
テキストデータが格納された文書ファイルを受付ける受付手段と、
受付けた文書ファイルに格納されたテキストデータの一部又は全部を抽出する抽出手段と、
受付けた文書ファイルに基づき、前記表示手段に表示させるべき画像に係る画像データを生成する画像生成手段と、
前記表示手段に表示した画像に係る画像データを含む所定形式のファイルを生成するファイル生成手段と、
生成したファイルを、前記抽出手段が抽出したテキストデータに関連付けて記憶する記憶手段と
を備えることを特徴とする画像編集装置。
【請求項３】
前記ファイル生成手段は、前記抽出手段が抽出したテキストデータを格納するための領域を有するファイルを生成するようにしてあり、
前記記憶手段は、前記テキストデータを前記領域に格納した状態で前記ファイルを記憶するようにしてあることを特徴とする請求項２に記載の画像編集装置。
【請求項４】
複数の画像を順次的に表示するスライド表示機能を有したソフトウェアを記憶する手段と、
前記ソフトウェアの起動指示を受付ける手段と
を備え、
前記ソフトウェア用のファイルに基づいてスライド表示を実行させるべく前記ソフトウェアの起動指示を受付けた場合、前記抽出手段は、前記ソフトウェア用のファイルからテキストデータを抽出するようにしてあり、
抽出したテキストデータに関連付けて前記ソフトウェアのファイルを前記記憶手段に記憶するようにしてあることを特徴とする請求項２又は請求項３に記載の画像編集装置。
【請求項５】
外部装置から送信されるファイルを受信する受信手段を更に備え、
前記抽出手段は、該受信手段にて受信したファイルに格納されたテキストデータを抽出するようにしてあることを特徴とする請求項１から４の何れか１つに記載の画像編集装置。
【発明の詳細な説明】
【技術分野】
【０００１】
本発明は、データに対して検索用のタグ情報を付加する画像編集装置に関する。
【背景技術】
【０００２】
従来、印刷された文書画像をイメージスキャナ等の画像読取装置にて読み取り、得られた画像データに基づいて文書画像に含まれる文字を画像認識により取得するＯＣＲ技術（OCR : Optical Character Recognition）が知られている。
【０００３】
また、このようなＯＣＲ技術を用いて文字情報を取得し、取得した文字情報を元の文書画像に関連付けて管理する技術が存在する（例えば、特許文献１を参照）。
【先行技術文献】
【特許文献】
【０００４】
【特許文献１】特開２０１０−２１１４７０号公報
【発明の概要】
【発明が解決しようとする課題】
【０００５】
しかしながら、ＯＣＲ技術では、文字情報への変換精度を高めるために、認識した文字についての候補をユーザに提示し、誤認識されている場合にはユーザに訂正させる必要がある。このため、ＯＣＲ技術において、正確な文字情報を取得しようとすれば、ユーザの作業負担が増加し、逆に、作業負担の増加を嫌って、文字認識後の見直し作業をユーザが行わなかった場合、誤って認識された文字が文字情報に含まれる可能性がある。
【０００６】
特許文献１に開示された技術では、ＯＣＲ技術を用いているため、文書画像に正確な文字情報を関連付けるためにはユーザの作業負担が増加するという問題点を有している。また、文字認識後の見直し作業を軽視した場合、誤った文字情報が文書画像に関連付けられて記憶されるという問題点を有している。
【０００７】
本発明は、斯かる事情に鑑みてなされたものであり、ＯＣＲ技術を用いることなく、文書から得られる画像データにテキストデータを関連付けて記憶することができる画像編集装置を提供することを目的とする。
【課題を解決するための手段】
【０００８】
本願の画像編集装置は、画像データに基づく画像を表示手段に表示し、該表示手段に表示した画像に対する編集を受付ける画像編集装置において、テキストデータを受付ける受付手段と、受付けたテキストデータの一部又は全部を抽出する抽出手段と、受付けたテキストデータに基づいて、前記表示手段に表示させるべき画像に係る画像データを生成する画像生成手段と、生成した画像データを、前記抽出手段が抽出したテキストデータに関連付けて記憶する記憶手段とを備えることを特徴とする。
【０００９】
本願の画像編集装置は、画像データに基づく画像を表示手段に表示し、該表示手段に表示した画像に対する編集を受付ける画像編集装置において、テキストデータが格納された文書ファイルを受付ける受付手段と、受付けた文書ファイルに格納されたテキストデータの一部又は全部を抽出する抽出手段と、受付けた文書ファイルに基づき、前記表示手段に表示させるべき画像に係る画像データを生成する画像生成手段と、前記表示手段に表示した画像に係る画像データを含む所定形式のファイルを生成するファイル生成手段と、生成したファイルを、前記抽出手段が抽出したテキストデータに関連付けて記憶する記憶手段とを備えることを特徴とする。
【００１０】
本願の画像編集装置は、前記ファイル生成手段は、前記抽出手段が抽出したテキストデータを格納するための領域を有するファイルを生成するようにしてあり、前記記憶手段は、前記テキストデータを前記領域に格納した状態で前記ファイルを記憶するようにしてあることを特徴とする。
【００１１】
本願の画像編集装置は、複数の画像を順次的に表示するスライド表示機能を有したソフトウェアを記憶する手段と、前記ソフトウェアの起動指示を受付ける手段とを備え、前記ソフトウェア用のファイルに基づいてスライド表示を実行させるべく前記ソフトウェアの起動指示を受付けた場合、前記抽出手段は、前記ソフトウェア用のファイルからテキストデータを抽出するようにしてあり、抽出したテキストデータに関連付けて前記ソフトウェアのファイルを前記記憶手段に記憶するようにしてあることを特徴とする。
【００１２】
本願の画像編集装置は、外部装置から送信されるファイルを受信する受信手段を更に備え、前記抽出手段は、該受信手段にて受信したファイルに格納されたテキストデータを抽出するようにしてあることを特徴とする。
【００１３】
本願では、テキストデータ又はテキストデータを含む文書ファイルから生成した画像データを表示手段に表示して記憶する場合、元のテキストデータの一部又は全部を画像データに関連付けて記憶する。
【発明の効果】
【００１４】
本願によれば、テキストデータ又はテキストデータを含む文書ファイルに基づき、表示手段に表示させるべき画像データを生成し、画像データを記憶する場合には、元のテキストデータの一部又は全部を画像データに関連付けて記憶するので、ユーザによるタグ付け作業を受付けることなく、タグ情報を付加することができ、画像データ（ファイル）の検索性を向上させることができる。
【図面の簡単な説明】
【００１５】
【図１】本実施の形態に係る画像編集装置の内部構成を示す模式図である。
【図２】画像編集装置が実行する処理の概略を説明する説明図である。
【図３】プリンタドライバによる印刷設定画面の一例を示す模式図である。
【図４】ペンソフトに取込む文書の一例を示す模式図である。
【図５】ペンソフトの実行時に表示部が表示する画面の一例を示す模式図である。
【図６】画像編集装置の機能的構成を示すブロック図である。
【図７】実施の形態１に係る画像編集装置が実行する処理の手順を説明するフローチャートである。
【図８】実施の形態２に係る画像編集装置が実行する処理の手順を説明するフローチャートである。
【図９】実施の形態３に係る画像編集装置の構成を示す模式図である。
【図１０】実施の形態３に係る画像編集装置が実行する処理の手順を説明するフローチャートである。
【図１１】ファイルを保存する際に表示部に表示するダイアログボックスの一例を示す模式図である。
【発明を実施するための形態】
【００１６】
本発明をその実施の形態を示す図面に基づいて具体的に説明する。
実施の形態１．
図１は本実施の形態に係る画像編集装置１０の内部構成を示す模式図である。本実施の形態に係る画像編集装置１０は、例えば、パーソナルコンピュータ、タブレット端末などの情報処理装置である。画像編集装置１０は、制御部１１、画像処理部１２、入力部１３、表示部１４、記憶部１５、及び通信部１６を備える。
【００１７】
制御部１１は、ＣＰＵ、ＲＯＭ、ＲＡＭなどを備え、記憶部１５に記憶された各種コンピュータプログラムを実行すると共に、上述したハードウェア各部の動作を制御することにより、装置全体を本発明に係る画像編集装置として機能させる。
【００１８】
画像処理部１２は、画像データを一時的に記憶する画像メモリ、画像メモリに記憶した画像データを処理するための画像処理回路等を備え、画像編集装置１０が取得した画像データに対する処理を行う。
【００１９】
入力部１３は、キーボード、マウス、タッチパネルなどの入力インタフェースを備え、画像編集装置１０のユーザによる操作を受付ける。表示部１４は、液晶ディスプレイ装置などを備え、画像編集装置１０のユーザに対して報知すべき情報を表示する。
【００２０】
記憶部１５は、ハードディスク等のストレージデバイスであり、各種データ、各種コンピュータプログラムを記憶するための記憶領域を有する。記憶部１５に記憶されるコンピュータプログラムには、例えば、文書作成ソフト１５１、ペンソフト１５２、プレゼンテーションソフト１５３などのアプリケーションプログラム、機器を制御するためのドライバプログラムであるプリンタドライバ１５４等が含まれる。
【００２１】
文書作成ソフト１５１は、文書を作成するためのアプリケーションプログラムである。制御部１１は、文書作成ソフト１５１を読込み、ＣＰＵにて実行することにより、文字（テキスト）を含んだ文書の編集を入力部１３を通じて受付ける処理、作成中の文書を表示部１４に表示させる処理、作成された文書のファイルを記憶部１５に記憶させる処理等を画像編集装置１０に実行させる。なお、作成された文書は、ユーザによって指定されたフォーマット（例えば、文書作成ソフト１５１に独自のフォーマット、リッチテキストフォーマットなど）でファイルに保存される。
【００２２】
ペンソフト１５２は、画像を編集するためのアプリケーションプログラムである。制御部１１は、ペンソフト１５２を読込み、ＣＰＵにて実行することにより、編集対象の画像データに基づく画像を表示部１４に表示させる処理、表示した画像又は編集された画像を示す画像データのファイルを記憶部１５に記憶させる処理等を画像編集装置１０に実行させる。なお、ペンソフト１５２が生成するファイルは、ユーザによって指定されたフォーマット（例えば、ペンソフト１５２の専用フォーマット）でファイルに保存される。
【００２３】
プレゼンテーションソフト１５３は、複数のページからなる画像（スライド）を作成し、スライド表示するためのアプリケーションプログラムである。制御部１１は、プレゼンテーションソフトを読込み、ＣＰＵにて実行することにより、複数の画像をページ単位で表示部１４に表示させる処理、表示した画像の編集を受付ける処理、編集されたページ単位の画像を統合してスライドを作成する処理等を画像編集装置１０に実行させる。
【００２４】
プリンタドライバ１５４は、通信部１６を介して画像編集装置１０に接続されたプリンタ装置を制御するためのドライバソフトウェアである。制御部１１は、プリンタドライバを１５４を読込み、ＣＰＵにて実行することにより、印刷対象として指定された文書又は画像に基づいてプリントジョブを生成する処理、生成したプリントジョブをプリンタ装置へ送信する処理等を実行する。
【００２５】
通信部１６は、ＬＡＮなどの通信ネットワークに接続されており、通信ネットワークに接続された外部の装置から送信されたデータを受信すると共に、外部の装置へ通知すべきデータを送信する。通信ネットワークには、例えば、プリンタ装置が接続される。画像編集装置１０は、プリンタドライバ１５４により生成したプリントジョブを通信部１６を介してプリンタ装置に送信することにより、所定の記録紙上に画像を形成することができるように構成されている。
【００２６】
本実施の形態に係る画像編集装置１０は、文書作成ソフト１５１で作成された文書ファイルをペンソフト１５２に取込む際、文書ファイルのデータを画像化すると共に、文書ファイルに含まれているテキストデータの一部又は全部を抽出し、タグ情報を生成することを特徴の１つとしている。
【００２７】
なお、以下では、文書作成ソフト１５１で作成された文書ファイルをペンソフト１５２に取込む構成について説明するが、本実施の形態では、後述するように、プリンタドライバ１５４の機能を用いて対象のデータを画像データに変換し、ペンソフト１５２に取込む構成としているので、文書作成ソフト１５１で作成されたファイルに限らず、テキストデータを含み、プリンタドライバ１５４を通じて印刷可能なファイルであれば、本願発明の手法を適用することが可能である。
【００２８】
図２は画像編集装置１０が実行する処理の概略を説明する説明図である。画像編集装置１０は、文書ファイルをペンソフト１５２に取込む際に、（ａ）画像データへ変換する処理と、（ｂ）タグ情報を生成する処理とを行う。本実施の形態では、制御部１１がプリンタドライバ１５４の機能を用いることにより、上述した２つの処理を実行する。プリンタドライバ１５４により変換された画像データは、ペンソフト１５２に取り込まれ、ペンソフト１５２が用意するウィンドウ内にて表示される。また、プリンタドライバ１５４により生成されたタグ情報は、制御部１１内のＲＡＭにて保持される。
【００２９】
ペンソフト１５２を実行しているとき、画像編集装置１０では、表示した画像に対する編集操作を受付ける。編集操作には、元の画像を修正又は変更する操作、元の画像の一部を消去する操作、画像を追加する操作等が含まれる。入力部１３を通じてファイルの保存指示を受付けた場合、画像編集装置１０は、（ｃ）専用ファイルを生成する処理と、（ｄ）専用ファイルにタグ情報を埋込む処理とを行う。本実施の形態では、制御部１１がペンソフト１５２の機能を用いることにより、上述した２つの処理を実行する。ここで、専用ファイルとは、ペンソフト１５２の専用フォーマットで保存されたファイルを表し、画像データ及びタグ情報を格納するための格納領域を有する。専用ファイルにタグ情報を埋込む際、制御部１１は、専用ファイルに予め用意された格納領域にタグ情報を格納する。
【００３０】
図３はプリンタドライバ１５４による印刷設定画面の一例を示す模式図である。プリンタドライバ１５４は、任意のアプリケーションプログラム（例えば、文書作成ソフト１５１）の実行中に印刷指示を受付けた場合、制御部１１によって実行され、図３に示すような印刷設定画面１５４０を表示部１４に表示する。
【００３１】
印刷設定画面１５４０は、出力先の設定を受付けるプリンタ設定欄１５４１、印刷対象のページ等の設定を受付ける印刷範囲設定欄１５４２、印刷部数を受付ける印刷部数設定欄１５４３などを有する。また、印刷設定画面１５４０は、設定された内容での処理について実行指示を与える実行ボタン１５４４、処理の実行中止を与えるキャンセルボタン１５４５を備える。
【００３２】
プリンタ設定欄１５４１は、プルダウン形式のメニューにより出力先を指定する出力先指定欄１５４１ａ、出力先に関する情報を表示する表示欄１５４１ｂ、出力先の属性を設定するプロパティ設定欄１５４１ｃ等を有する。本実施の形態では、出力先指定欄１５４１ａにおいて、通信部１６に接続されたプリンタ装置を指定できる他、ペンソフト１５２を出力先として指摘できるように構成されている。
【００３３】
印刷設定画面１５４０にて各種設定がされた後、実行ボタン１５４４が押下操作された場合、出力先指定欄１５４１ａにて指定された出力先への出力が実行される。
【００３４】
図４はペンソフト１５２に取込む文書の一例を示す模式図であり、図５はペンソフト１５２の実行時に表示部１４が表示する画面の一例を示す模式図である。本実施の形態において、ペンソフト１５２に取込む文書は、文書作成ソフト１５１などのアプリケーションプログラムによりデジタルデータとして作成された文書であり、文字コード（ＪＩＳコード、Ｕｎｉｃｏｄｅなど）によって表されるテキストデータを含むものとする。ペンソフト１５２に取込む文書には、図４に示すように、テキストデータの他に、写真、図形、グラフなどの画像データが含まれていてもよい。
【００３５】
図４に示すような文書を文書作成ソフト１５１で開き、文書作成ソフト１５１からプリンタドライバ１５４を呼び出した後、出力先指定欄１５４１ａより出力先をペンソフト１５２に指定して出力を実行した場合、文書のデータはペンソフト１５２により画像データに変換され、ペンソフト１５２に取り込まれる。図５は文書をペンソフト１５２に取り込んで表示している様子を示している。
【００３６】
ペンソフト１５２が起動された場合、制御部１１は、ペンソフト１５２によって用意されているホワイトボード１５２０を表示部１４に表示する。ペンソフト１５２に取込まれた文書は、ホワイトボード１５２０内に表示される。ホワイトボード１５２０の左側にはツール群１５２１が設けられており、ホワイトボード１５２０に画像や手書きの文字を追加したり、ホワイトボード１５２０に表示された画像の一部を削除したりすることができるように構成されている。
【００３７】
また、取込んだ文書が複数のページからなる場合、ホワイトボード１５２０の下端に設けられたインクリメントボタン１５２２又はデクリメントボタン１５２３を押下操作することにより、所望のページ（シート）を表示できるようにしている。
【００３８】
図６は画像編集装置１０の機能的構成を示すブロック図である。画像編集装置１０は、プリンタドライバ１５４を制御部１１が実行することにより実現される機能的構成として、ファイル解析部１０１、画像変換部１０２、テキスト抽出部１０３、及びデータ送信部１０４を備える。
【００３９】
プリンタドライバ１５４は、画像編集装置１０にインストールされている各アプリケーションプログラム（ソフトウェア）から呼び出される。ファイル解析部１０１は、プリンタドライバ１５４が取得したアプリケーションデータ（ファイル）の解析を行い、解析結果である解析データを画像変換部１０２及びテキスト抽出部１０３の双方へ送出する。このとき、ファイル解析部１０１は、解析データとして、ページ記述言語により表現されるデータを生成するようにしてもよい。
【００４０】
画像変換部１０２は、ファイル解析部１０１より取得した解析データを画像データに変換する。このとき、画像変換部１０２は、解析データに基づき、ＪＰＥＧ（Joint Photographic Experts Group）、ＴＩＦＦ（Tagged Image File Format）などの予め定めたフォーマットによるビットマップ画像（ラスターイメージ）を生成する。
【００４１】
テキスト抽出部１０３は、ファイル解析部１０１より取得した解析データからテキストデータを抽出し、タグ情報を生成する。テキスト抽出部１０３が抽出するテキストデータは、文字コードによって表現されるデータであり、ビットマップ画像等により表現される手書き文字などは含まない。テキスト抽出部１０３は、更に、抽出したテキストデータから単語を抽出し、タグ情報を生成する。このとき、テキスト抽出部１０３は、ｎ個（ｎは２以上の予め定めた整数）以上出現する単語のみからタグ情報を生成する構成としてもよく、全ての単語を含んだタグ情報を生成する構成としてもよい。
【００４２】
データ送信部１０４は、画像変換部１０２が変換した画像データ及びテキスト抽出部１０３が生成したタグ情報を、後述するデータ受信部１１０へ送信する。
【００４３】
画像編集装置１０は、ペンソフト１５２を制御部１１が実行することにより実現される機能的構成として、データ受信部１１０、画像表示部１１１、タグ情報保持部１１２、画像編集部１１３、ファイル形式変換部１１４、タグ情報付加部１１５、及びファイル保存部１１６を備える。
【００４４】
データ受信部１１０は、データ送信部１０４より送信される画像データ及びタグ情報を受信し、受信した画像データ及びタグ情報をそれぞれ画像表示部１１１及びタグ情報保持部１１２へ送出する。データ受信部１１０が受信したデータのうち、タグ情報はタグ情報保持部１１２により保持され、後段のタグ情報付加部１１５へ送出される。
【００４５】
画像表示部１１１は、データ受信部１１０から取得した画像データに基づく画像を表示部１４に表示する。また、画像の表示中に、画像編集部１１３は、入力部１３を通じて画像の編集操作を受付け、受付けた編集操作に応じて、元の画像を修正又は変更する処理、元の画像の一部を消去する処理、ユーザにより描画された画像を追加する処理等の画像処理を行う。
【００４６】
入力部１３を通じてファイルへの保存指示を受付けた場合、画像編集部１１３は、その時点で保持している画像データをファイル形式変換部１１４へ送出する。ファイル形式変換部１１４は、画像編集部１１３から送出された画像データに基づき、専用ファイル形式のデータを生成し、ファイル保存部１１６へ送出する。また、タグ情報付加部１１５は、入力部を通じてファイルへの保存指示を受付けた場合、タグ情報保持部１１２から取得したタグ情報をファイル保存部１１６へ送出する。
【００４７】
ファイル保存部１１６は、ファイル形式変換部１１４から送出される専用ファイル形式のデータに基づいてファイル（専用ファイル）を生成すると共に、タグ情報付加部１１５から送出されるタグ情報をファイルに埋め込む処理を実行する。
【００４８】
図７は実施の形態１に係る画像編集装置１０が実行する処理の手順を説明するフローチャートである。画像編集装置１０にインストールされたアプリケーションプログラムからファイルがオープンされ（ステップＳ１１）、アプリケーションプログラムから呼び出されるプリンタドライバを通じて、データの出力先がペンソフト１５２に指定された場合（ステップＳ１２）、ファイル解析部１０１は出力対象のデータの解析を行う（ステップＳ１３）。
【００４９】
ファイル解析部１０１は、出力対象のデータにテキストデータが含まれているか否かを判断する（ステップＳ１４）。テキストデータが含まれている場合（Ｓ１４：ＹＥＳ）、ファイル解析部１０１が出力する解析データを画像変換部１０２にて画像データに変換すると共に（ステップＳ１５）、テキスト抽出部１０３にてテキストデータを抽出し、タグ情報を生成する（ステップＳ１６）。
【００５０】
なお、図７に示したフローチャートでは、画像変換部１０２にて画像データに変換した後に、テキスト抽出部１０３にてテキストデータを抽出する構成としたが、解析データからテキストデータを抽出した後に画像データに変換する構成としてもよく、画像データへの変換とテキストデータの抽出とを並行して行う構成としてもよい。
【００５１】
次いで、データ送信部１０４は、画像変換部１０２にて変換した画像データ及びテキスト抽出部１０３にて生成したタグ情報の送信処理を行う（ステップＳ１７）。このとき、制御部１１は、記憶部１５からペンソフト１５２を読出して起動する（ステップＳ１８）。
【００５２】
ペンソフト１５２が起動された場合、データ受信部１１０は、データ送信部１０４から送信された画像データ及びタグ情報を取込む（ステップＳ１９）。取込んだタグ情報は、タグ情報保持部１１２により一時的に保持される。
【００５３】
画像表示部１１１は、ステップＳ１９で取込んだ画像データに基づく画像を表示すると共に（ステップＳ２０）、画像編集部１１３は、表示した画像に対する編集操作を受付ける（ステップＳ２１）。
【００５４】
次いで、ファイルの保存指示を入力部１３を通じて受付けた場合（ステップＳ２２）、ファイル形式変換部１１４は、画像表示部１１１が表示している画像データを専用ファイル形式のデータに変換し（ステップＳ２３）、変換後のデータをファイル保存部１１６へ送出する。また、タグ情報付加部１１５は、タグ情報保持部１１２に保持されているタグ情報を読出して、ファイル保存部１１６へ送出する（ステップＳ２４）。
【００５５】
なお、図７に示したフローチャートでは、編集操作を受付けた後にファイル保存指示を受付ける構成としたが、編集操作を受付けることなくファイル保存指示を受付ける構成としてもよい。この場合であっても、後述する手順により、ペンソフト１５２で表示された画像データはタグ情報が埋込まれた状態で、専用形式のファイルとして保存される。
【００５６】
次いで、ファイル保存部１１６は、ファイル形式変換部１１４から送出される専用ファイル形式のデータを基に専用ファイルを生成し、生成したファイルの保存を行う（ステップＳ２５）。このとき、ファイル保存部１１６は、専用ファイルに設けた格納領域内にタグ情報付加部１１５からのタグ情報を記憶させることによって、ファイルへのタグ情報を埋め込みを行う。
【００５７】
一方、ステップＳ１４でテキストデータが含まれていないと判断した場合（Ｓ１４：ＮＯ）、ファイル解析部１０１が出力する解析データを画像変換部１０２にて画像データに変換する（ステップＳ２６）。
【００５８】
次いで、データ送信部１０４は、画像変換部１０２にて変換した画像データ及びテキスト抽出部１０３にて生成したタグ情報の送信処理を行う（ステップＳ２７）。このとき、制御部１１は、記憶部１５からペンソフト１５２を読出して起動する（ステップＳ２８）。ペンソフト１５２を起動した後、前述したステップＳ２０以降の処理を実行する。なお、テキストデータが含まれていない画像データからペンソフト１５２を起動する場合には、タグ情報の生成を行わないので、ステップＳ２４においてタグ情報を出力する処理を省略することができる。
【００５９】
以上のように、本実施の形態では、文書ファイルをペンソフト１５２で取り込み、ペンソフト１５２のファイル（専用ファイル）として保存する際に、元の文書ファイルから抽出したテキストデータを基に作成したタグ情報を埋め込む構成としているので、ユーザによるタグ付け作業を必要とすることなく、ファイルの検索性を向上させることができる。
【００６０】
実施の形態２．
実施の形態１では、ペンソフト１５２に取込む文書ファイルについてタグ情報を埋め込む構成を説明したが、プレゼンテーションソフト１５３と連携し、プレゼンテーションソフト１５３用のファイルにタグ情報を埋め込む構成としてもよい。
【００６１】
実施の形態２では、ペンソフト１５２及びプレゼンテーションソフト１５３の双方が起動されている状態において、プレゼンテーションソフト１５３より、複数の画像を順次的に表示するスライド表示が指示された場合、ペンソフト１５２は、プレゼンテーションソフト１５３用のファイルを取込む。ペンソフト１５２は、取り込んだプレゼンテーションソフト１５３用のファイルからテキストデータを抽出し、タグ情報を生成する。そして、ペンソフト１５２の専用ファイルとして保存する際に生成したタグ情報を埋め込む。
【００６２】
図８は実施の形態２に係る画像編集装置１０が実行する処理の手順を説明するフローチャートである。画像編集装置１０の制御部１１は、プレゼンテーションソフト１５３が起動されている状態において、スライド表示の指示を受付けたか否かを判断する（ステップＳ３１）。スライド表示の指示を受付けていない場合（Ｓ３１：ＮＯ）、制御部１１は、スライド表示の指示を受付けるまで待機する。
【００６３】
スライド表示の指示を受付けた場合（Ｓ３１：ＹＥＳ）、制御部１１は、画像編集装置１０においてペンソフト１５２が起動されているか否かを判断する（ステップＳ３２）。ペンソフト１５２が起動されていない場合（Ｓ３２：ＮＯ）、制御部１１は、本フローチャートによる処理を終了する。
【００６４】
ペンソフト１５２が起動されている場合（Ｓ３２：ＹＥＳ）、制御部１１は、スライド表示の対象となったプレゼンテーションソフト１５３用のファイルをペンソフト１５２に取込み（ステップＳ３３）、取込んだファイルからテキストデータを抽出し（ステップＳ３４）、タグ情報を生成する。このとき、実施の形態１と同様に、プリンタドライバ１５４の機能の一部を利用することができ、生成されたタグ情報は、タグ情報保持部１１２に一時的に保持される。
【００６５】
次いで、画像編集装置１０は、表示部１４にてスライド表示を実行する（ステップＳ３５）。スライド表示を実行した後、ファイルの保存指示を入力部１３を通じて受付けた場合（ステップＳ３６）、ファイル形式変換部１１４は、表示部１４に表示している画像データを専用ファイル形式のデータに変換し（ステップＳ３７）、変換後のデータをファイル保存部１１６へ送出する。また、タグ情報付加部１１５は、タグ情報保持部１１２に保持されているタグ情報を読出して、ファイル保存部１１６へ送出する（ステップＳ３８）。
【００６６】
次いで、ファイル保存部１１６は、ファイル形式変換部１１４から送出される専用ファイル形式のデータを基に専用ファイルを生成し、生成したファイルの保存を行う（ステップＳ３９）。このとき、ファイル保存部１１６は、専用ファイルに設けた格納領域内にタグ情報付加部１１５からのタグ情報を記憶させることによって、ファイルへのタグ情報を埋め込みを行う。
【００６７】
以上のように、実施の形態２では、プレゼンテーションソフト１５３によりスライド表示を行う場合に、ペンソフト１５２と連携してタグ情報を付加することができ、ユーザが手動でタグ情報を入力する手間が省ける。
【００６８】
実施の形態３．
実施の形態１では、画像編集装置１０内部にて作成された文書ファイルの出力先をペンソフト１５２に指定した場合、その文書ファイルからテキストデータを抽出し、タグ情報を生成する構成としたが、画像編集装置１０の通信部１６にて受信したファイルからテキストデータを抽出し、タグ情報を生成する構成としてもよい。
【００６９】
図９は実施の形態３に係る画像編集装置１０の構成を示す模式図である。実施の形態３に係る画像編集装置１０の内部構成は、実施の形態１に示すものと同様であり、制御部１１、画像処理部１２、入力部１３、表示部１４、記憶部１５、及び通信部１６を備える。
【００７０】
本実施の形態に係る画像編集装置１０の通信部１６には、ＬＡＮなどの通信ネットワークを介して、外部端末２０が通信可能に接続される。外部端末２０は、例えば、パーソナルコンピュータ、タブレット端末などの端末装置であり、通信手段、記憶手段などを備え、記憶手段には文書ファイル、プレゼンテーションファイルなどのテキストデータを含んだファイルが予め記憶されているものとする。
【００７１】
画像編集装置１０は、外部端末２０から送信されるファイルを通信部１６にて受信した際、そのファイルからテキストデータを抽出する処理、ペンソフト１５２を起動する処理等を行う。
【００７２】
なお、画像編集装置１０は、通信部１６にて受信した全てのファイルについて、テキストデータを抽出する処理を行ってもよい。
また、画像編集装置１０は、通信部１６にて受信した特定のファイルについて、テキストデータを抽出する処理を行ってもよい。例えば、外部端末２０に記憶されたファイルが画像編集装置１０又は外部端末２０により選択され、ファイルの出力先として画像編集装置１０のペンソフト１５２が指定された場合、画像編集装置１０は、通信部１６を介してそのファイルを受信し、受信したファイルからテキストデータを抽出するようにしてもよい。
また、画像編集装置１０が特定の動作状態である場合に、外部端末２０から送信されるファイルを通信部１６にて受信したとき、そのファイルからテキストデータを抽出するようにしてもよい。例えば、画像編集装置１０にてペンソフト１５２及びプレゼンテーションソフト１５３が起動されている状態において、外部端末２０に記憶されたプレゼンテーションソフト１５３用のファイルを受信したとき、画像編集装置１０は、受信したファイルからテキストデータを抽出するようにしてもよい。
【００７３】
図１０は実施の形態３に係る画像編集装置１０が実行する処理の手順を説明するフローチャートである。なお、図７に示すフローチャートと共通する処理については、同一のステップ番号を付して説明を行う。外部端末２０の記憶手段に記憶された文書ファイルが選択され、文書ファイルの出力先として画像編集装置１０のペンソフト１５２が指定された場合、外部端末２０は、その文書ファイルを画像編集装置１０へ送信する（ステップＳ４１）。
【００７４】
画像編集装置１０は、外部端末２０から送信された文書ファイルを受信した場合（ステップＳ４２）、プリンタドライバ１５４による機能、すなわちファイル解析部１０１を用いて、受信した文書ファイルのデータ解析を行い（ステップＳ１３）、対象の文書ファイルにテキストデータが含まれているか否かを判断する（ステップＳ１４）。
【００７５】
対象の文書ファイルにテキストデータが含まれていると判断した場合（Ｓ１４：ＹＥＳ）、画像編集装置１０は、実施の形態１と同様の処理手順にて、ステップＳ１５以降の処理を実行することにより、ペンソフト１５２の専用フォーマットによるファイル（専用ファイル）を生成し、生成したファイルへのタグ情報の埋め込みを行う。
【００７６】
また、対象の文書ファイルにテキストデータが含まれていないと判断した場合（Ｓ１４：ＮＯ）、画像編集装置１０は、ステップＳ２６以降の処理を実行し、タグ情報の埋め込みを行うことなく、ペンソフト１５２の専用フォーマットによるファイル（専用ファイル）を生成し、生成したファイルの保存を行う。
【００７７】
なお、図１０のフローチャートでは、外部端末２０の記憶手段に記憶された文書ファイルが選択され、文書ファイルの出力先として画像編集装置１０のペンソフト１５２が指定された場合の処理について説明したが、外部端末２０に記憶されたプレゼンテーションソフト１５３用のファイルからスライド表示が指定された場合についても同様である。このとき、画像編集装置１０は、対象のファイルを外部端末２０から受信した上で、図８のフローチャートにより示す処理手順にて、タグ情報を埋め込んだ専用フォーマットのファイルを保存することができる。
【００７８】
実施の形態４．
実施の形態４では、文書ファイルからテキストデータを抽出して、ペンソフト１５２の専用フォーマットでファイルを保存する際、抽出したテキストデータをファイル名に設定する構成について説明を行う。
【００７９】
図１１はファイルを保存する際に表示部１４に表示するダイアログボックス１４０の一例を示す模式図である。実施の形態４では、ペンソフト１５２の専用フォーマットでファイルを保存する際、デフォルトのファイル名として、元の文書ファイル等から抽出したテキストデータの一部を設定する。画像編集装置１０は、図７に示すフローチャートのステップＳ２２等において、ファイルの保存指示を受付けた場合、ファイルの保存先などを指定するためのダイアログボックス１４０を表示部１４に表示する。
【００８０】
ダイアログボックス１４０は、ファイルの保存先を指定する保存先指定欄１４１、指定された保存先に既に保存されているファイル等を表示する表示欄１４２、保存対象のファイルの名称（ファイル名）を設定するファイル名設定欄１４３、ファイルの種類を設定する拡張子設定欄１４４などを有する。また、ダイアログボックス１４０は、設定された内容でファイルの保存を指示する実行ボタン１４５、及びファイルの保存をキャンセルするキャンセルボタン１４６を備える。
【００８１】
画像編集装置１０は、図７、図８及び図１０に示すフローチャートの一連の処理の中でファイルの保存指示を受付けた場合、図１１に示すようなダイアログボックス１４０を表示部１４に表示する。このとき、ファイル名の候補として、元のファイルから抽出したテキストデータを設定する。抽出したテキストデータに複数種の単語が含まれる場合、例えば、所定文字数（例えば８文字）以下かつ最頻出の単語をファイル名の候補として設定することができる。図１１に示した例では、元のファイルから最頻出の単語として「製品仕様」という単語が抽出され、ペンソフト１５２の拡張子である「ＳＷＳ」を加えた「製品仕様．ＳＷＳ」というファイル名が設定されている様子を示している。
【００８２】
以上のように、実施の形態４では、ファイル名として好適な名称が自動的に設定されるので、手動でファイル名を入力する場合と比較して、ユーザの手間を省くことができる。なお、画像編集装置１０がファイル名設定欄１４３に設定するファイル名は候補に過ぎず、ユーザは、入力部１３からファイル名を入力することにより、適宜の名称を設定することが可能である。
【符号の説明】
【００８３】
１０  画像編集装置
１１  制御部
１２  画像処理部
１３  入力部
１４  表示部
１５  記憶部
１６  通信部
２０  外部端末
１５１  文書作成ソフト
１５２  ペンソフト
１５３  プレゼンテーションソフト
１５４  プリンタドライバ
【図１】
2014170317.tif 000003
【図２】
2014170317.tif 000004
【図３】
2014170317.tif 000005
【図４】
2014170317.tif 000006
【図６】
2014170317.tif 000007
【図７】
2014170317.tif 000008
【図８】
2014170317.tif 000009
【図９】
2014170317.tif 000010
【図１０】
2014170317.tif 000011
【図１１】
2014170317.tif 000012
【図５】
2014170317.tif 000013